(57)【要約】  第１情報処理部と第２情報処理部とを備えた情報処理装置において、ウィルスに感染した第１情報処理部に対し、人手を介在させることなくかつ迅速に、そのウィルスの駆除と、正常通信への復旧とを行う。  上記のウィルス感染を、第１の通信系３−１を介して外部のウィルス管理機能装置２が迅速に検出して、通信停止指示を、別のセキュリティレベルの高い第２の通信系３−２を介して上記の第１情報処理部１１に渡し、上記の通信系３−１による通信を切断する。さらに第２の通信系３−２を介してウィルス駆除対策情報を該処理部１１に渡し、該処理部１２内のウィルス駆除を行う。さらに駆除後、上記の切断した通信を再開する。
2009118844.tif 000002
【特許請求の範囲】
【請求項１】
外部のウィルス管理機能装置に、通信網を介して共に接続する第１情報処理部と第２情報処理部とを有してなり、
前記第２情報処理部は、第１の通信系からなる前記通信網を介して前記第１情報処理部がその通信部を通して通信中の情報から、前記ウィルス管理機能装置がウィルス感染を検出したときに送信されるその通信停止情報を、前記第１の通信系とは独立した別の第２の通信系からなる前記通信網を介して受信し、前記通信部を停止させる通信停止命令部と、
前記ウィルス管理機能装置より続いて、前記第２の通信系からなる前記通信網を介して受信したウィルス駆除対策情報によって、前記第１情報処理部内の前記ウィルスを駆除するウィルス駆除起動部と、を備える情報処理装置。
【請求項２】
前記第２情報処理部内の前記ウィルス駆除起動部は、前記第１情報処理部内の第１ウィルス駆除部に、受信した前記ウィルス駆除対策情報を転送し、前記第１情報処理部内の前記ウィルスを駆除する請求項１に記載の情報処理装置。
【請求項３】
前記第２情報処理部内の前記ウィルス駆除起動部は、受信した前記ウィルス駆除対策情報を用いて自ら前記第１情報処理部内の前記ウィルスを駆除する第２ウィルス駆除部からなる請求項１に記載の情報処理装置。
【請求項４】
前記第１情報処理部は、前記第１ウィルス駆除部による前記ウィルス駆除対策情報を用いたウィルス駆除が完了したその完了通知を、前記ウィルス管理機能装置に送信した応答として返送された再接続指示に基づき、自内の前記通信部での前記の通信停止命令を自ら解除する請求項２に記載の情報処理装置。
【請求項５】
前記第２情報処理部は、前記第２ウィルス駆除部による前記ウィルス駆除対策情報を用いたウィルス駆除が完了したその完了通知を、前記ウィルス管理機能装置に送信した応答として返送された再接続指示に基づき、前記第１情報処理部内の前記通信部での通信停止命令を解除する請求項３に記載の情報処理装置。
【請求項６】
前記第１情報処理部はＰＣ部であり、前記第２情報処理部は携帯電話部である請求項１に記載の情報処理装置。
【請求項７】
第１の通信系からなる前記通信網はＩＰ通信網であり、第２の通信系からなる前記通信網は回線交換網である請求項１に記載の情報処理装置。
【請求項８】
前記ウィルス駆除対策情報は、ウィルス駆除ツールおよびウィルス定義ファイルを含む請求項１に記載の情報処理装置。
【請求項９】
第１情報処理部と第２情報処理部とを有する情報処理装置と、共に通信網を介して接続するウィルス管理機能装置であって、
第１の通信系からなる前記通信網を介して前記第１情報処理部が通信中の情報からウィルス感染を検出するウィルス判定部と、
前記ウィルス感染を検出したとき、前記第１の通信系とは独立した別の第２の通信系からなる前記通信網を介して、前記通信を停止させる通信停止指示を前記第２情報処理部に送信する通信停止指示部と、
引き続いて、前記情報処理装置内での前記ウィルスを駆除するためのウィルス駆除対策情報を、前記第２の通信系からなる前記通信網を介して、前記第２情報処理部に送信する駆除対策情報送信部と、
を有するウィルス管理機能装置。
【請求項１０】
前記ウィルス駆除対策情報により前記情報処理装置内でのウィルス駆除が完了したことにより、前記第２情報処理部から、前記第２の通信系からなる前記通信網を介して、その完了通知が送信されたのに応答して、前記通信停止指示を解除するための通信再接続指示を、該第２の通信系を介し該第２情報処理部に返送する再接続指示部を有する請求項９に記載のウィルス管理機能装置。
【請求項１１】
第１の通信系からなる前記通信網はＩＰ通信網であり、第２の通信系からなる前記通信網は回線交換網である請求項９に記載のウィルス管理機能装置。
【請求項１２】
前記ウィルス駆除対策情報は、ウィルス駆除ツールおよびウィルス定義ファイルを含む請求項９に記載のウィルス管理機能装置。
【請求項１３】
前記ウィルス管理機能装置は、前記ウィルス判定部と、前記通信停止指示部と、前記駆除対策情報送信部と、前記再接続指示部とを、一体に内蔵する請求項１０に記載のウィルス管理機能装置。
【請求項１４】
前記ウィルス管理機能装置は、前記ウィルス判定部と、前記通信停止指示部と、前記再接続指示部とを備える第１ウィルス管理機能部と、該第１ウィルス管理機能部とは独立した第２ウィルス管理機能部とからなり、該第２ウィルス管理機能部は前記ウィルス判定部によりウィルス感染の通知を受けて、該第１ウィルス管理機能部を介して又は直接、前記第２情報処理部に、前記ウィルス駆除対策情報を提供する請求項１０に記載のウィルス管理機能装置。
【請求項１５】
外部のウィルス管理機能装置に、通信網を介して共に接続する第１情報処理部と第２情報処理部とを有する情報処理装置において、
前記ウィルス管理機能装置を経由して前記第１情報処理部が、第１の通信系よりなる前記通信網を介して情報の通信を行うステップと、
前記の通信を行うステップにおいて、前記ウィルス管理機能装置が前記情報からウィルス感染を検出したことにより、該ウィルス管理機能装置より、前記第１の通信系とは独立した別の第２の通信系からなる前記通信網を介して受信した通信停止指示により、前記第２情報処理部による通信を切断するステップと、
引き続いて、前記ウィルス管理機能装置より、前記第２の通信系からなる通信網を介してウィルス駆除対策情報を受信するステップと、
受信した前記ウィルス駆除対策情報に基づいて、前記第２情報処理部内のウィルスを駆除するステップと、
前記の駆除するステップによりウィルス駆除が完了したとき、切断していた前記の通信を再接続するステップと、
を有するウィルス駆除方法。
【請求項１６】
前記のウィルスを駆除するステップは、前記第２の情報処理部が前記ウィルス駆除対策情報に基づいて前記第１の情報処理部に対して実行する請求項１５に記載のウィルス駆除方法。
【請求項１７】
前記のウィルスを駆除するステップは、前記第１の情報処理部が前記第２の情報処理部から転送された前記ウィルス駆除対策情報に基づいて実行する請求項１５に記載のウィルス駆除方法。
【請求項１８】
第１情報処理部と第２情報処理部とを有する情報処理装置と、共に通信網を介して接続するウィルス管理機能装置において、
第１の通信系からなる前記通信網を介して前記第１情報処理部が通信中の情報からウィルス感染を検出するステップと、
前記ウィルス感染を検出したとき、前記第１の通信系とは独立した別の第２の通信系からなる前記通信網を介して、前記通信を停止させる通信停止指示を前記第２情報処理部に送信するステップと、
引き続いて、前記情報処理装置内での前記ウィルスを駆除するためのウィルス駆除対策情報を、前記第２の通信系からなる前記通信網を介して、前記第２情報処理部に送信するステップと、
を有するウィルス駆除方法。
【請求項１９】
外部のウィルス管理機能装置に、通信網を介して共に接続する第１情報処理部と第２情報処理部とを有する情報処理装置において、そのコンピュータに、
前記ウィルス管理機能装置を経由して前記第１情報処理部が、第１の通信系よりなる前記通信網を介して情報の通信を行う手順と、
前記の通信を行う手順において、前記ウィルス管理機能装置が前記情報からウィルス感染を検出したことにより、該ウィルス管理機能装置より、前記第１の通信系とは独立した別の第２の通信系からなる前記通信網を介して受信した通信停止指示により、前記第２情報処理部による通信を切断する手順と、
引き続いて、前記ウィルス管理機能装置より、前記第２の通信系からなる通信網を介してウィルス駆除対策情報を受信する手順と、
受信した前記ウィルス駆除対策情報に基づいて、前記第２情報処理部内のウィルスを駆除する手順と、
前記の駆除する手順によりウィルス駆除が完了したとき、切断していた前記の通信を再接続する手順と、
を実行させるウィルス駆除プログラム。
【請求項２０】
第１情報処理部と第２情報処理部とを有する情報処理装置と、共に通信網を介して接続するウィルス管理機能装置において、コンピュータに、
第１の通信系からなる前記通信網を介して前記第１情報処理部が通信中の情報からウィルス感染を検出する手順と、
前記ウィルス感染を検出したとき、前記第１の通信系とは独立した別の第２の通信系からなる前記通信網を介して、前記通信を停止させる通信停止指示を前記第２情報処理部に送信する手順と、
引き続いて、前記情報処理装置内での前記ウィルスを駆除するためのウィルス駆除対策情報を、前記第２の通信系からなる前記通信網を介して、前記第２情報処理部に送信する手順と、
を実行させるウィルス駆除プログラム。
【発明の詳細な説明】
【技術分野】
【０００１】
本発明は、情報処理装置特にウィルス駆除機能を備えた情報処理装置に関し、さらにはそのウィルス駆除機能と連携するウィルス管理機能装置に関する。またそのウィルス駆除方法ならびにプログラムに関する。
【背景技術】
【０００２】
周知のとおり、例えば携帯電話機のような携帯型装置をその１つに含む情報処理装置が急速かつ広範囲に普及している。そしてさらにその機能は一層高度化している。このような状況下では、一層セキュアなウィルス駆除システムが要求される。【０００３】
なお本発明に関連する公知技術として、下記〔特許文献１〕の検疫システム、下記〔特許文献２〕のワーム監視対策システム、下記〔特許文献３〕のウィルス感染警告通知システム等が知られている。【０００４】
【特許文献１】特開２００７−１０２６９７号公報
【特許文献２】特開２００５−２６０６１２号公報
【特許文献３】特開２００４−１６４２７０号公報
【発明の開示】
【発明が解決しようとする課題】
【０００５】
例えばインターネット網につながれた情報処理装置例えばパーソナルコンピュータ（ＰＣ）はウィルスに感染しやすくまたその感染が短時間のうち他の多数のＰＣにも波及していくことは良く知られている。【０００６】
ＰＣがこのようにウィルス感染した場合、当該ＰＣはすぐに、あるいは一定時間経過したとき、不穏な振舞いをし始める。ユーザーはそのようなＰＣの不穏な振舞いを感じ取ったときに、初めて、ウィルスに感染してしまった事実を認識し始める。【０００７】
そうなったときユーザーは、例えば当該ＰＣに接続された通信ケーブルを引き抜くなどの方法をとって外部網との通信を手動で切断し、当該ウィルスが外部に拡散していくことを未然に防止している。【０００８】
その後さらには、そのウィルスを駆除すべく、ウィルス駆除ツールを当該ＰＣにインストールするか、あるいは、元々ウィルス駆除ツールが当該ＰＣにインストールされているならば、ウィルス定義ファイルを最新にアップデートし、当該ウィルスの駆除を行う。【０００９】
しかしながら上記のウィルス駆除対策には、少なくとも下記の２つの問題点がある。【００１０】
〔問題点１〕
ＰＣがウィルス感染してから、ユーザーがその感染に気づくまでの間に時間が経過してしまい、その間にウィルス感染の被害がさらに拡大していく恐れがある。【００１１】
〔問題点２〕
ユーザーが上記のウィルス感染を認識してから、そのウィルスを駆除するまでに多くの手作業を要し、ユーザーにとって非常に面倒である。【００１２】
したがって本発明は、上記の諸問題点に鑑み、ウィルス感染の検出とその感染拡大のしゃ断をきわめて迅速に行うことが可能であり、しかもその後のウィルス駆除ならびにその駆除後の通信の復旧までを、ユーザーの介在なしに自動で行うことが可能なウィルス駆除システム、特に上述の情報処理装置（一例として上述の携帯型装置を含む）に好適なウィルス駆除システムを提供することを目的とするものである。
【課題を解決するための手段】
【００１３】
本明細書で開示する情報処理装置は、基本的に第１情報処理部（例えばＰＣ部）と、第２情報処理部（例えば携帯電話部）とからなり、外部のウィルス管理機能装置と連携する。【００１４】
該ウィルス管理機能装置が、第１の通信系を介して通信中の該第１情報処理部の情報にウィルス感染を検出するとこれを、該第２情報処理部内の通信停止命令部に、該第１の通信系とは独立した別の第２の通信系を介して、伝え、該第１情報処理部の処理を停止させる。続いて、該第２の通信系を介して該ウィルス管理機能装置より、該第２情報処理部内のウィルス駆除起動部にて受信したウィルス駆除対策情報により、該第１情報処理部内のウィルスを駆除する。さらには、そのウィルス駆除の完了時に、前記の通信停止命令を解除して元の通信へ再接続する。【００１５】
一方、前記ウィルス管理機能装置は、前記のウィルス感染検出を行い、その検出時には、前記第２の通信系を介して、前記第１情報処理部の通信を停止させる指示を送り、さらに同じく該第２の通信系を介して、前記第２情報処理部に前記ウィルス駆除対策情報を送り、前記第１情報処理部内の前記ウィルスを駆除させる。
【発明の効果】
【００１６】
本明細書において開示する、ウィルス管理機能装置とこれに連携する少なくとも１つの情報処理装置とを含んでなるウィルス駆除システムは、ウィルス管理機能装置と情報処理装置との上記の連携により、該情報処理装置内でのウィルス感染の検出と、それに続く当該ウィルス感染の外部への波及を防止するための通信の切断とを、迅速に行って上記の問題点１を解消する。【００１７】
この場合、上記のウィルス管理機能装置との上記連携によって、上記の通信の切断に続く、ウィルスの駆除と、そのウィルス駆除後の通信の再開までを、ユーザーの介在なしに、全て自動で実行する。これにより、上記の問題点２をも解消する。
【図面の簡単な説明】
【００１８】
【図１】本明細書により開示するウィルス駆除システムの一実施形態を示す図である。
【図２】図１におけるウィルス駆除起動部１６の第１の態様（Ａ）と、第２の態様（Ｂ）とを示す図である。
【図３】図１において第１ウィルス駆除部１７を採用する場合の通信再接続を実行する第１の態様（Ａ）と、第２ウィルス駆除部１８を採用する場合の通信再接続を実行する第２の態様（Ｂ）とを示す図である。
【図４】図１におけるウィルス管理機能装置の構成を示す図である。
【図５】図１におけるウィルス管理機能装置の別の構成を示す図である。
【図６】図１におけるウィルス駆除システムを一層現実的に示す図である。
【図７】図６における携帯型装置１のハードウェア構成例を示すブロック図である。
【図８】図６におけるウィルス管理機能装置２のハードウェア構成例を示すブロック図である。
【図９】図６のウィルス駆除システムにおける携帯型装置１での、第１の態様に基づくウィルス駆除の様子を示す流れ図（その１）である。
【図１０】図６のウィルス駆除システムにおける携帯型装置１での、第１の態様に基づくウィルス駆除の様子を示す流れ図（その２）である。
【図１１】図６のウィルス駆除システムにおける携帯型装置１での、第２の態様に基づくウィルス駆除の様子を示す流れ図（その１）である。
【図１２】図６のウィルス駆除システムにおける携帯型装置１での、第２の態様に基づくウィルス駆除の様子を示す流れ図（その２）である。
【図１３】図９〜図１２に表す流れを、携帯型装置１を主体とした動作として示すフローチャートである。
【図１４】図９〜図１２に表す流れを、ウィルス管理機能装置２を主体とした動作として示すフローチャートである。
【符号の説明】
【００１９】
１    情報処理装置又は携帯型装置
２    ウィルス管理機能装置
３    通信網
３−１    第１の通信系
３−２    第２の通信系
１１    第１情報処理部
１２    第２情報処理部
１３    通信部
１４    通信停止命令部
１６    ウィルス駆除起動部
１７    第１ウィルス駆除部
１８    第２ウィルス駆除部
２１    ウィルス判定部
２２    通信停止指示部
２３    駆除対策情報送信部
２４    再接続指示部
４１    記憶部
４２    ウィルス判定手段
【発明を実施するための最良の形態】
【００２０】
図１は本明細書により開示するウィルス駆除システムの一実施形態を示す図である。まず、情報処理装置１に着目すると、この情報処理装置１は、外部のウィルス管理機能装置２に、通信網３を介して共に接続する第１情報処理部１１と第２情報処理部１２とを、有している。【００２１】
この第２情報処理部１２は、第１の通信系３−１からなる通信網３を介して第１情報処理部１１がその通信部１３を通して通信中の情報から、ウィルス管理機能装置２がウィルス感染を検出したときに送信されるその通信停止指示Ｉｓを、第１の通信系３−１とは独立した、別のセキュリティレベルの高い第２の通信系３−２からなる通信網３を介して受信し、通信部１３を停止させる通信停止命令部１４を有し、
さらに、ウィルス管理機能装置２より続いて、第２の通信系３−２からなる通信網３を介して受信したウィルス駆除対策情報Ｉｖによって、第１情報処理部１１内のウィルスを駆除するウィルス駆除起動部１６を備える。【００２２】
第２情報処理部１２内のウィルス駆除起動部１６は、図２（Ａ）に示すように、第１情報処理部１１内の第１ウィルス駆除部１７に、受信したウィルス駆除対策情報Ｉｖを転送し、第１情報処理部１１内のウィルスを駆除するようにしても良いし、
あるいは、第２情報処理部１２内のウィルス駆除起動部１６は、図２（Ｂ）に示すように、受信したウィルス駆除対策情報Ｉｖを用いて自ら第１情報処理部１１内のウィルスを駆除する第２ウィルス駆除部１８から構成するようにしても良い。【００２３】
第１情報処理部１１内に第１ウィルス駆除部１７を有する場合（図２の（Ａ））、第１情報処理部１１は、図３（Ａ）に示すように、この第１ウィルス駆除部１７によるウィルス駆除対策情報Ｉｖを用いたウィルス駆除が完了したその完了通知Ｎｃを、ウィルス管理機能装置２に送信した応答として返送された再接続指示Ｃｒに基づき、自内（１１）の通信部１３での上記の通信停止命令を自ら解除する。【００２４】
一方、第２情報処理部内に第２ウィルス駆除部１８を有する場合（図２の（Ｂ））、第２情報処理部１２は、図３（Ｂ）に示すように、第２ウィルス駆除部１８によるウィルス駆除対策情報Ｉｖを用いたウィルス駆除が完了したその完了通知Ｎｃを、ウィルス管理機能装置２に送信した応答として返送された再接続指示Ｃｒに基づき、第１情報処理部１１内の通信部１３での通信停止命令を解除する。【００２５】
なお好適例として、
・第１情報処理部１１はＰＣ部であり、第２情報処理部１２は携帯電話部である。
・第１の通信系３−１からなる通信網３はＩＰ通信網であり、第２の通信系３−２からなる通信網３は回線交換網である。
・ウィルス駆除対策情報Ｉｖは、ウィルス駆除ツールおよびウィルス定義ファイルを含んでなる。【００２６】
次に図４を参照しながら、ウィルス管理機能装置２について見てみると、この装置２は、
第１情報処理部１１と第２情報処理部１２とを有する上記の情報処理装置１と、共に通信網３を介して接続するウィルス管理機能装置であり、その構成は、
第１の通信系３−１からなる通信網３を介して第１情報処理部１１が通信中の情報からウィルス感染を検出するウィルス判定部２１と、
ウィルス感染を検出したとき、第１の通信系３−１とは独立した別のセキュリティレベルの高い第２の通信系３−２からなる通信網３を介して、通信を停止させる通信停止指示Ｉｓを第２情報処理部１２に送信する通信停止指示部２２と、
引き続いて、情報処理装置１内でのウィルスを駆除するためのウィルス駆除対策情報Ｉｖを、第２の通信系３−２からなる通信網３を介して、第２情報処理部１２に送信する駆除対策情報送信部２３と、からなる。【００２７】
そしてさらに再接続指示部２４を有する。この指示部２４は、ウィルス駆除対策情報Ｉｖにより情報処理装置１内でのウィルス駆除が完了したことにより、第２情報処理部１２から、第２の通信系３−２からなる通信網３を介して、その完了通知Ｎｃが送信されたのに応答して、通信停止指示Ｉｓを解除するための通信再接続指示Ｃｒを、この第２の通信系３−２を介し第２情報処理部１２に返送する機能を果す。【００２８】
なお、ウィルス管理機能装置２は、図４に示したとおり、ウィルス判定部２１と、通信停止指示部２２と、駆除対策情報送信部２３と、再接続指示部２４とを、一体に内蔵するように構成しても良いし、
あるいは、このウィルス管理機能装置２は、図５に示すとおり、ウィルス判定部２１と、通信停止指示部２２と、再接続指示部２４とを備える第１ウィルス管理機能部２５と、この第１ウィルス管理機能部２５とは独立した第２ウィルス管理機能部２６とからなり、この第２ウィルス管理機能部２６はウィルス判定部２１によりウィルス感染を検出して、第１ウィルス管理機能部２５を介して又は直接、第２情報処理部１２に、ウィルス駆除対策情報Ｉｖを提供するようにしても良い。【００２９】
上述のウィルス駆除システムを、一層分かりやすく説明すると、第１情報処理部１１（以下、ＰＣ部１１と称す）と、第２情報処理部１２（以下、携帯電話部１２と称す）を持つ携帯型装置１があり、その携帯型装置１に、ウィルス感染の判定が可能なウィルス管理機能装置２が通信回線（通信網３）を介して接続されている環境において、携帯型装置１のＰＣ部１１がウィルス感染すると、そのことをウィルス管理機能装置２が検知し、携帯型装置１のＰＣ部１１によるＩＰ通信を切断する。ウィルス検知やＩＰ通信の切断は、ウィルス管理機能装置２によって速やかに行われる。したがって従来に比べてウィルス感染から対処までに要する時間が大幅に短縮される。【００３０】
さらにウィルス管理機能装置２は、それ自身または専用端末（図５の２６参照）に命令することにより、携帯型装置１の携帯電話部１２に「感染したウィルスを駆除するツール」や「ウィルス定義ファイル」を、ＩＰ通信網（３−１相当）とは独立した別の通信網（３−２相当）を用いて送信し、携帯型装置１の携帯電話部１２はそれらを受信する。【００３１】
携帯型装置１の携帯電話部１２はウィルス駆除ツールやウィルス定義ファイルをＰＣ部１１に渡し、ＰＣ部１１は受け取ったウィルス駆除ツールを自内にインストールしたり、ウィルス定義ファイルをアップデートして感染したウィルスの駆除を行う。【００３２】
また別の駆除方法として、ウィルス駆除ツールやウィルス定義ファイルをサーバーから受け取った携帯電話部１２が、ＰＣ部１１のウィルス駆除を行うこともできる。【００３３】
ウィルスの駆除が完了すると、携帯型装置１はそのことをウィルス管理機能装置２に通知し、この通知を受け取った該装置２は、切断されていた携帯型装置１のＩＰ通信を再接続する。これらの方法により、ウィルスの駆除、ＩＰ通信の再開を自動で行うことができ、ユーザーの負担がほとんどなくなる。【００３４】
図６は図１のウィルス駆除システムを一層現実的に示す図である。本図において、携帯型装置１は、図示する形態でＰＣ部１１と携帯電話部１２とを持ち、有線または無線でウィルス管理機能装置２と接続される。ウィルス管理機能装置２は、記憶部４１やウィルス判定手段４２（前述の２や２２〜２４に同じ）などを備え、有線または無線で少なくとも１つの携帯型装置１やインターネット網４３と接続されている。【００３５】
ウィルス管理機能装置２は、携帯型装置１が送信する情報を分析し、携帯型装置１がウィルス感染しているかどうかを、ウィルス判定手段４２を用いて判定する。携帯型装置１がウィルス感染していると判定すると、記憶部４１に保存してあるウィルス駆除ツールやウィルス定義ファイルを、携帯型装置１に送信し、該携帯型装置１はそれらをもとに、ウィルスの駆除を行う。なお携帯型装置１によるウィルス駆除の流れは後で詳しく説明する。【００３６】
図７は図６における携帯型装置１のハードウェア構成例を示すブロック図である。本図において、携帯型装置１は、ＰＣ部１１と携帯電話部１２とを備え、それぞれがＣＰＵ１１１，１２１、記憶装置１１２，１２２を備える。ＣＰＵ１１１，１２１は、携帯型装置１の制御や計算処理などを行うと共に、ＯＳやアプリケーションソフト、データ等を保存する。【００３７】
さらにＰＣ部１１と携帯電話部１２はそれぞれ、通信制御部１１３（通信部１３相当）、１２３を有し、アンテナ１１３，１２３を介した情報の送受信を制御する。なお本携帯型装置１は他にも、表示部５１に画面表示を行う表示制御部５２や、音声の入出力に用いるマイク５３やスピーカ５４も備える。【００３８】
操作部５５はキーボードやマウス等であり、電源部５６は携帯型装置１全体に電力を供給する。【００３９】
図８は図６における管理機能装置２のハードウェア構成例を示すブロック図である。本図においてウィルス管理機能装置２の制御部２１３は、装置２全体の制御を行い、記憶部４１にはウィルス定義ファイル格納部２１１やウィルス駆除ツール格納部２１２を内蔵する。【００４０】
ウィルス判定手段４２は、アンテナ２１６、通信制御部２１４を介して携帯型装置１からＩＰ通信（３−１）により送られてきた情報を分析し、携帯型装置１がウィルスに感染しているかどうかを判定する。【００４１】
またアンテナ２１７を介して携帯型装置１の携帯電話１２へ、ウィルス駆除ツールやウィルス定義ファイルを送信することが可能である。また本装置２は、通信ポート２１５を用いてインターネット網４３と通信することが可能である。【００４２】
図９は図６のウィルス駆除システムにおける携帯型装置１での第１の態様に基づくウィルス駆除の様子を示す流れ図であり、図１０は同流れ図（その２）である。【００４３】
ウィルス管理機能装置２は、携帯型装置１のＰＣ部から送られてくる情報を分析し、ウィルス感染の有無を判定する（ステップＳ１１）。そして携帯型装置１がウィルス感染していると判定すると（ステップＳ１２のＹｅｓ）、携帯型装置１の携帯電話部１２へＰＣ部１１のＩＰ通信の切断指示を出す（ステップＳ１３）。【００４４】
その切断指示を受けた携帯電話部１２は、ＩＰ通信の切断命令をＰＣ部１１に出し（ステップＳ１４）、例えば通信制御部１１３を形成するドライバーを無効化するなどの方法により、ＰＣ部１１によるＩＰ通信を切断する（ステップＳ１５）。なお、ＩＰ通信の切断は携帯型装置１の外部、例えばスイッチングハブなどに任せても良い。【００４５】
ウィルス管理機能装置２は、上記のＩＰ通信の切断指示（Ｓ１３）後、記憶部４１に格納されているウィルス駆除ツールやウィルス定義ファイルを、ＩＰ通信（３−１）とは独立した別の通信網（例えば、ＩＰ通信網に比べてきわめてセキュリティレベルの高い回線交換網３−２）を介して携帯型装置１の携帯電話部１２に送信する（ステップＳ１６）。【００４６】
これらのツールやファイルを受信すると（ステップＳ１７）、携帯電話部１２は、ＰＣ部１１にそれらのデータを渡し（ステップＳ１８）、ＰＣ部１１は携帯電話部１２からそのデータを受け取り（ステップＳ１９）、これらのウィルス駆除ツールやウィルス定義ファイルを用いてウィルスの駆除を行う（ステップＳ２０）。【００４７】
ウィルスの駆除が完了すると（ステップＳ２１のＹｅｓ）、ＰＣ部１１はその完了を携帯電話部１２に通知し（ステップＳ２２）、これを受けた携帯電話部１２は、ウィルス管理機能装置２にウィルス駆除完了の通知をする（ステップＳ２３）。【００４８】
この通知を受け取ったウィルス管理機能装置２は（ステップＳ２４）、ＰＣ部１１にて切断していたＩＰ通信を再接続するための指示を携帯型装置１の携帯電話部１２に送信し（ステップＳ２５）、携帯電話部１２はこれを受け取ると（ステップＳ２６）ＰＣ部１１へＩＰ通信の再接続を指示する（ステップＳ２７）。その指示に従って、ＰＣ部１１はＩＰ通信の再接続を行う。【００４９】
図１１は、図６のウィルス駆除システムにおける携帯型装置１での、第２の態様に基づくウィルス駆除の様子を示す流れ図（その１）であり、図１２は同流れ図（その２）である。【００５０】
上述した図９および図１０の流れ図では、ウィルス駆除を実行していたのはＰＣ部１１であったが、ここでは、ウィルスの駆除を携帯電話部１２の方で行う。【００５１】
ウィルス管理機能装置２が、ウィルス駆除ツールやウィルス定義ファイルを、携帯型装置１へ送信しこれを携帯電話部１２で受信するまでの流れ（ステップＳ１１−Ｓ１７）は、上記の図９の場合と同じである。【００５２】
図１１において、携帯型装置１の携帯電話部１２がウィルス駆除ツールやウィルス定義ファイルを受信すると（ステップＳ１７）、
図１２において、携帯電話部１２自らがＰＣ部１１に対してウィルス駆除を行う（ステップＳ２０′）。【００５３】
ウィルス駆除が完了すると（ステップＳ２１′のＹｅｓ）、携帯電話部１２がウィルス管理機能装置２にその完了の旨を通知する（ステップＳ２２′）。【００５４】
その後は前述と同様、ウィルス管理機能装置２は携帯型装置１に対してＩＰ通信再接続指示を出して（ステップＳ２５）、既述のステップＳ２６−Ｓ２７を経てステップＳ２８に至る。【００５５】
なお図９〜図１２では、ウィルス駆除の完了からＩＰ通信の再接続までの処理を、ウィルス管理機能装置２を介して行っているが、ウィルス駆除の完了後すぐに、ＰＣ部１１が自ら、切断していたＩＰ通信の再接続を行ってもよい。ただし、ウィルス管理機能装置２への情報のフィードバックのために、いずれにしても同装置２へウィルス駆除完了の通知をすることが望ましい。【００５６】
なお、ここではＰＣ部１１と携帯電話部１２とを一体化した携帯型装置１について説明したが、それぞれ独立した別々のＰＣ装置と携帯電話装置とで構成するようにしたウィルス駆除システムにおいても、上述と同様の効果を奏すことができる。【００５７】
図９〜図１２において示した流れ図を方法のステップとして要約すると、図１３および図１４のフローチャートに示すとおりである。ただし、図１３は具体例として携帯型装置１を主体として表し、図１４はウィルス管理機能装置２を主体として表す。【００５８】
まず図１３を参照すると、外部のウィルス管理機能装置２に、通信網３を介して共に接続する第１情報処理部（ＰＣ部）１１と第２情報処理部（携帯電話部）１２とを有する情報処理装置１において、
ステップＳ３１：ウィルス管理機能装置２を経由して第１情報処理部１１が、第１の通信系３−１よりなる通信網３を介して情報の通信を行う。
ステップＳ３２：上記の通信を行うステップＳ３１において、ウィルス管理機能装置２が上記の情報からウィルス感染を検出したことにより、ウィルス管理機能装置２より、第１の通信系３−１とは独立した別の第２の通信系３−２からなる通信網３を介して受信した通信停止指示Ｉｓにより、第２情報処理部１２による通信を切断する。
ステップＳ３３：引き続いて、ウィルス管理機能装置２より、第２の通信系３−２からなる通信網３を介してウィルス駆除対策情報Ｉｖを受信する。
ステップＳ３４：受信したウィルス駆除対策情報Ｉｖに基づいて、第２情報処理部１２内のウィルスを駆除する。
ステップＳ３５：上記の駆除するステップＳ３４によりウィルス駆除が完了したとき、切断していた前記の通信を再接続する。【００５９】
なお上記のウィルスを駆除するステップＳ３４は、第２の情報処理部１２がウィルス駆除対策情報Ｉｖに基づいて第１の情報処理部１１に対して実行するか、
または、第１の情報処理部１１が第２の情報処理部１２から転送されたウィルス駆除対策情報Ｉｖに基づいて実行する。【００６０】
次に図１４を参照すると、第１情報処理部（ＰＣ部）１１と第２情報処理部（携帯電話部）１２とを有する情報処理装置１と、共に通信網３を介して接続するウィルス管理機能装置２において、
ステップＳ４１：第１の通信系３−１からなる通信網３を介して第１情報処理部１１が通信中の情報からウィルス感染を検出する。
ステップＳ４２：ウィルス感染を検出したとき、第１の通信系３−１とは独立した別の第２の通信系３−２からなる通信網３を介して、上記の通信を停止させる通信停止指示Ｉｓを第２情報処理部１２に送信する。
ステップＳ４３：引き続いて、情報処理装置１内でのウィルスを駆除するためのウィルス駆除対策情報Ｉｖを、第２の通信系３−２からなる通信網３を介して、第２情報処理部１２に送信する。【００６１】
なお、上記の方法はコンピュータプログラムとしても捉えることができる。すなわち、外部のウィルス管理機能装置２に、通信網３を介して共に接続する第１情報処理部１１と第２情報処理部１２とを有する情報処理装置１において、そのコンピュータに、
ウィルス管理機能装置２を経由して第１情報処理部１１が、第１の通信系３−１よりなる通信網３を介して情報の通信を行う手順と、
その通信を行う手順において、ウィルス管理機能装置２が上記の情報からウィルス感染を検出したことにより、ウィルス管理機能装置２より、第１の通信系３−１とは独立した別の第２の通信系３−２からなる通信網３を介して受信した通信停止指示Ｉｓにより、前記第２情報処理部による通信を切断する手順と、
引き続いて、前記ウィルス管理機能装置より、前記第２の通信系からなる通信網を介してウィルス駆除対策情報を受信する手順と、
受信した前記ウィルス駆除対策情報に基づいて、前記第２情報処理部内のウィルスを駆除する手順と、
前記の駆除する手順によりウィルス駆除が完了したとき、切断していた前記の通信を再接続する手順と、を実行させるウィルス駆除プログラムである。【００６２】
一方、第１情報処理部１１と第２情報処理部１２とを有する情報処理装置１と、共に通信網３を介して接続するウィルス管理機能装置２においては、コンピュータに、
第１の通信系３−１からなる通信網３を介して第１情報処理部１１が通信中の情報からウィルス感染を検出する手順と、
そのウィルス感染を検出したとき、第１の通信系３−１とは独立した別の第２の通信系３−２からなる通信網３を介して、上記の通信を停止させる通信停止指示Ｉｓを第２情報処理部１２に送信する手順と、
引き続いて、情報処理装置１内でのそのウィルスを駆除するためのウィルス駆除対策情報Ｉｖを、第２の通信系３−２からなる通信網３を介して、第２情報処理部１２に送信する手順と、を実行させるウィルス駆除プログラムである。
【図１】
2009118844.tif 000003
【図２】
2009118844.tif 000004
【図３】
2009118844.tif 000005
【図４】
2009118844.tif 000006
【図５】
2009118844.tif 000007
【図６】
2009118844.tif 000008
【図７】
2009118844.tif 000009
【図８】
2009118844.tif 000010
【図９】
2009118844.tif 000011
【図１０】
2009118844.tif 000012
【図１１】
2009118844.tif 000013
【図１２】
2009118844.tif 000014
【図１３】
2009118844.tif 000015
【図１４】
2009118844.tif 000016
【手続補正書】
【提出日】平成22年8月24日(2010.8.24)
【手続補正１】
【補正対象書類名】特許請求の範囲
【補正対象項目名】全文
【補正方法】変更
【補正の内容】
【特許請求の範囲】
【請求項１】
外部のウィルス管理機能装置に、通信網を介して共に接続する第１情報処理部と第２情報処理部とを有してなり、
前記第２情報処理部は、第１の通信系からなる前記通信網を介して前記第１情報処理部がその通信部を通して通信中の情報から、前記ウィルス管理機能装置がウィルス感染を検出したときに送信されるその通信停止情報を、前記第１の通信系とは独立した別の第２の通信系からなる前記通信網を介して受信し、前記通信部を停止させる通信停止命令部と、
前記ウィルス管理機能装置より続いて、前記第２の通信系からなる前記通信網を介して受信したウィルス駆除対策情報によって、前記第１情報処理部内の前記ウィルスを駆除するウィルス駆除起動部と、を備える情報処理装置。
【請求項２】
前記第２情報処理部内の前記ウィルス駆除起動部は、前記第１情報処理部内の第１ウィルス駆除部に、受信した前記ウィルス駆除対策情報を転送し、前記第１情報処理部内の前記ウィルスを駆除する請求項１に記載の情報処理装置。
【請求項３】
前記第２情報処理部内の前記ウィルス駆除起動部は、受信した前記ウィルス駆除対策情報を用いて自ら前記第１情報処理部内の前記ウィルスを駆除する第２ウィルス駆除部からなる請求項１に記載の情報処理装置。
【請求項４】
前記第１情報処理部はＰＣ部であり、前記第２情報処理部は携帯電話部である請求項１に記載の情報処理装置。
【請求項５】
第１情報処理部と第２情報処理部とを有する情報処理装置と、共に通信網を介して接続するウィルス管理機能装置であって、
第１の通信系からなる前記通信網を介して前記第１情報処理部が通信中の情報からウィルス感染を検出するウィルス判定部と、
前記ウィルス感染を検出したとき、前記第１の通信系とは独立した別の第２の通信系からなる前記通信網を介して、前記通信を停止させる通信停止指示を前記第２情報処理部に送信する通信停止指示部と、
引き続いて、前記情報処理装置内での前記ウィルスを駆除するためのウィルス駆除対策情報を、前記第２の通信系からなる前記通信網を介して、前記第２情報処理部に送信する駆除対策情報送信部と、
を有するウィルス管理機能装置。
【請求項６】
前記ウィルス駆除対策情報により前記情報処理装置内でのウィルス駆除が完了したことにより、前記第２情報処理部から、前記第２の通信系からなる前記通信網を介して、その完了通知が送信されたのに応答して、前記通信停止指示を解除するための通信再接続指示を、該第２の通信系を介し該第２情報処理部に返送する再接続指示部を有する請求項５に記載のウィルス管理機能装置。
【請求項７】
外部のウィルス管理機能装置に、通信網を介して共に接続する第１情報処理部と第２情報処理部とを有する情報処理装置において、
前記ウィルス管理機能装置を経由して前記第１情報処理部が、第１の通信系よりなる前記通信網を介して情報の通信を行うステップと、
前記の通信を行うステップにおいて、前記ウィルス管理機能装置が前記情報からウィルス感染を検出したことにより、該ウィルス管理機能装置より、前記第１の通信系とは独立した別の第２の通信系からなる前記通信網を介して受信した通信停止指示により、前記第２情報処理部による通信を切断するステップと、
引き続いて、前記ウィルス管理機能装置より、前記第２の通信系からなる通信網を介してウィルス駆除対策情報を受信するステップと、
受信した前記ウィルス駆除対策情報に基づいて、前記第２情報処理部内のウィルスを駆除するステップと、
前記の駆除するステップによりウィルス駆除が完了したとき、切断していた前記の通信を再接続するステップと、
を有するウィルス駆除方法。
【請求項８】
第１情報処理部と第２情報処理部とを有する情報処理装置と、共に通信網を介して接続するウィルス管理機能装置において、
第１の通信系からなる前記通信網を介して前記第１情報処理部が通信中の情報からウィルス感染を検出するステップと、
前記ウィルス感染を検出したとき、前記第１の通信系とは独立した別の第２の通信系からなる前記通信網を介して、前記通信を停止させる通信停止指示を前記第２情報処理部に送信するステップと、
引き続いて、前記情報処理装置内での前記ウィルスを駆除するためのウィルス駆除対策情報を、前記第２の通信系からなる前記通信網を介して、前記第２情報処理部に送信するステップと、
を有するウィルス駆除方法。
【国際調査報告】
2009118844.tif 000017
2009118844.tif 000018